【手続補正書】
【提出日】平成17年11月18日(2005.11.18)
【手続補正１】
【補正対象書類名】明細書
【補正対象項目名】発明の名称
【補正方法】変更
【補正の内容】
【発明の名称】立体画像データ処理装置および立体画像データ処理用プログラム
【手続補正２】
【補正対象書類名】明細書
【補正対象項目名】特許請求の範囲
【補正方法】変更
【補正の内容】
【特許請求の範囲】
【請求項１】  撮影された左右両眼画像データからなる立体画像データを読み込む読込手段と、読込手段で読み込まれた立体画像データから形成される左右両眼画像の傾きおよび位置ずれを補正する補正手段と、立体表示手段で立体画像を表示する左右両眼画像の範囲をトリミングする立体表示範囲トリミング手段と、補正手段で補正され立体表示範囲トリミング手段でトリミングされた左右画像を立体表示用の画像フォーマットに変換する画像フォーマット変換手段とを有することを特徴とする立体画像データ処理装置。
【請求項２】  左右両眼画像の両眼視差が無くなる点であるＺＤＰを設定するＺＤＰ設定手段を有することを特徴とする請求項１に記載の立体画像データ処理装置。
【請求項３】  左右両眼画像のいずれか一方の画像でＺＤＰを設定すると他方の画像中から一方の画像で設定されたＺＤＰの近傍画像と類似する点を他方の画像のＺＤＰとして自動的に設定することを特徴とする請求項２に記載の立体画像データ処理装置。
【請求項４】 ＺＤＰを基準点として左右両眼画像をトリミングすることを特徴とする請求項２〜３のいずれか１項に記載の立体画像データ処理装置。
【請求項５】  左右両眼画像のいずれか一方の画像をトリミングすると他方の画像から一方の画像をトリミングした範囲の大きさとアスペクト比が同じとなる範囲を自動的にトリミングすることを特徴とする請求項１〜４のいずれか１項に記載の立体画像データ処理装置。
【請求項６】  トリミングする際に、トリミング範囲が所定の大きさよりも小さくなった時にユーザに警告を発することを特徴とする請求項４〜５のいずれか１項に記載の立体画像データ処理装置。
【請求項７】  両眼画像の傾きおよび位置ずれを補正する補正手段において、画像補正時に使用するカメラ焦点距離の値として、入力する画像ファイルに付加されている撮影条件の情報を利用することを特徴とする請求項１〜６のいずれか１項に記載の立体画像データ処理装置。
【請求項８】  両眼画像の傾きおよび位置ずれを補正する補正手段において、画像補正時に使用するカメラレンズの焦点距離の値として、入力する画像ファイルに付加されている撮影条件の情報を利用するか、ユーザが明示的に値を入力するかを切り換え可能なことを特徴とする請求項７に記載の立体画像データ処理装置。
【請求項９】  立体表示手段の種類に対応した画像フォーマットを選択する画像フォーマット選択手段を有することを特徴とする請求項１〜８のいずれか１項に記載の立体画像データ処理装置。
【請求項１０】  画像フォーマット選択手段で選択された画像フォーマットに対応して立体表示範囲トリミング手段でトリミングする時のアスペクト比が固定されることを特徴とする請求項９に記載の立体画像データ処理装置。
【請求項１１】  ＺＤＰを設定した後に立体表示範囲トリミング手段で指定された左右画像のトリミング範囲の少なくとも一方を左右方向に移動させて立体表示手段で表示される立体画像の立体感を調節する立体感調節手段を有することを特徴とする請求項２〜１０のいずれか１項に記載の立体画像データ処理装置。
【請求項１２】  立体感調整手段として、設定されたトリミング範囲の大きさに応じて長さが変わる立体感調整用のバーをＧＵＩとして備えたことを特徴とする請求項１１に記載の立体画像処データ理装置。
【請求項１３】  立体表示範囲トリミング手段でトリミングされた左右画像を、平行法もしくは交差法で裸眼立体視可能に表示するプレビュー手段を有することを特徴とする請求項１〜１２のいずれか１項に記載の立体画像データ処理装置。
【請求項１４】  立体表示範囲トリミング手段でトリミングされた左右画像を、ストライプ状に交互に合成してストライプ表示するプレビュー手段を有することを特徴とする請求項１〜１３のいずれか１項に記載の立体画像データ処理装置。
【請求項１５】  立体表示範囲トリミング手段でトリミングされた左右画像を、左右画像をストライプ状に交互に且つそれぞれ別の色でフィルタをかけて合成してストライプ表示するプレビュー手段を有することを特徴とする請求項１〜１４のいずれか１項に記載の立体画像データ処理装置。
【請求項１６】  撮影された左右両眼画像データからなる立体画像データを読み込む読込モジュールと、読込モジュールで読み込まれた立体画像データから形成される左右両眼画像の傾きおよび位置ずれを補正する補正モジュールと、立体表示手段で立体画像を表示する左右両眼画像の範囲をトリミングする立体表示範囲トリミングモジュールと、補正モジュールで補正され立体表示範囲トリミングモジュールでトリミングされた左右画像を立体表示用の画像フォーマットに変換する画像フォーマット変換モジュールとして機能することを特徴とするコンピュータによって実行される立体画像データ処理用プログラム。
【手続補正３】
【補正対象書類名】明細書
【補正対象項目名】０００１
【補正方法】変更
【補正の内容】
【０００１】
【発明の属する技術分野】
本発明は、立体画像データを処理する立体画像データ処理装置および立体画像データ処理用プログラムに関する。
【手続補正４】
【補正対象書類名】明細書
【補正対象項目名】００１２
【補正方法】変更
【補正の内容】
【００１２】
【課題を解決するための手段】
前述の課題を解決するため、本発明に係る立体画像データ処理装置および立体画像データ処理用プログラムは、次のような手段を採用する。
【手続補正５】
【補正対象書類名】明細書
【補正対象項目名】００１３
【補正方法】変更
【補正の内容】
【００１３】
即ち、本発明の立体画像データ処理装置は、撮影された左右両眼画像データからなる立体画像データを読み込む読込手段と、読込手段で読み込まれた立体画像データから形成される左右両眼画像の傾きおよび位置ずれを補正する補正手段と、立体表示手段で立体画像を表示する左右両眼画像の範囲をトリミングする立体表示範囲トリミング手段と、補正手段で補正され立体表示範囲トリミング手段でトリミングされた左右画像を立体表示用の画像フォーマットに変換する画像フォーマット変換手段とを有することを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
また、本発明の立体画像データ処理装置は、ＺＤＰを基準点として左右両眼画像をトリミングすることを特徴とする。
【手続補正９】
【補正対象書類名】明細書
【補正対象項目名】００１９
【補正方法】削除
【補正の内容】
【手続補正１０】
【補正対象書類名】明細書
【補正対象項目名】００２１
【補正方法】変更
【補正の内容】
【００２１】
また、本発明の立体画像データ処理装置は、トリミングする際に、トリミング範囲が所定の大きさよりも小さくなった時にユーザに警告することを特徴とする。
【手続補正１１】
【補正対象書類名】明細書
【補正対象項目名】００２２
【補正方法】変更
【補正の内容】
【００２２】
また、本発明の立体画像データ処理装置は、両眼画像の傾きおよび位置ずれを補正する補正手段において、画像補正時に使用するカメラ焦点距離情報として、入力画像に付加されている撮影時の撮影条件の情報を使用することが可能であり、また、ユーザが明示的に焦点距離情報を指定することも可能とし、いずれかの機能を切り換える手段を備えることを特徴とする。
【手続補正１２】
【補正対象書類名】明細書
【補正対象項目名】００２４
【補正方法】変更
【補正の内容】
【００２４】
また、本発明の立体画像データ処理装置は、画像フォーマット選択手段で選択された画像フォーマットに対応して立体表示範囲トリミング手段でトリミングする時のアスペクト比が固定されていることを特徴とする。
【手続補正１３】
【補正対象書類名】明細書
【補正対象項目名】００２７
【補正方法】変更
【補正の内容】
【００２７】
また、本発明の立体画像データ処理装置は、立体表示範囲トリミング手段でトリミングされた左右画像を、平行法もしくは交差法で裸眼立体視可能に表示するプレビュー手段を有することを特徴とする。
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】変更
【補正の内容】
【００３３】
また、本発明の立体画像データ処理装置は、立体表示範囲トリミング手段でトリミングされた左右画像を、ストライプ状に交互に合成してストライプ表示するプレビュー手段を有することを特徴する。
【手続補正２０】
【補正対象書類名】明細書
【補正対象項目名】００３４
【補正方法】変更
【補正の内容】
【００３４】
また、本発明の立体画像データ処理装置は、プレビュー手段は、左右画像をストライプ状に交互に且つそれぞれ別の色でフィルタをかけて合成してストライプ表示するプレビュー手段を有することを特徴する。
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】変更
【補正の内容】
【００３６】
また、本発明のコンピュータによって実行される立体画像データ処理用プログラムは、撮影された左右両眼画像データからなる立体画像データを読み込む読込モジュールと、読込モジュールで読み込まれた立体画像データから形成される左右両眼画像の傾きおよび位置ずれを補正する補正モジュールと、立体表示手段で立体画像を表示する左右両眼画像の範囲をトリミングする立体表示範囲トリミングモジュールと、補正モジュールで補正され立体表示範囲トリミングモジュールでトリミングされた左右画像を立体表示用の画像フォーマットに変換する画像フォーマット変換モジュールとして機能することを特徴とする。
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】変更
【補正の内容】
【００３９】
更に、本発明に係る立体画像データ処理装置における全ての構成要件を、立体画像データ処理用プログラムおよび立体画像データ処理用プログラムを記録した記録媒体の構成要件としてそれぞれの発明とすることができる。
なお、記録媒体としては、ＲＯＭ（Ｒｅａｄ  Ｏｎｌｙ  Ｍｅｍｏｒｙ）、ＭＯ（Ｍａｇｎｅｔ  Ｏｐｔｉｃａｌ）、ＣＤ（Ｃｏｍｐａｃｔ  Ｄｉｓｋ）、ＦＤ（Ｆｌｏｐｐｙ（登録商標）  Ｄｉｓｋ）等が挙げられる。
【手続補正２６】
【補正対象書類名】明細書
【補正対象項目名】００７３
【補正方法】削除
【補正の内容】
【手続補正２７】
【補正対象書類名】明細書
【補正対象項目名】００７４
【補正方法】削除
【補正の内容】
【手続補正２８】
【補正対象書類名】明細書
【補正対象項目名】００７６
【補正方法】削除
【補正の内容】
【手続補正２９】
【補正対象書類名】明細書
【補正対象項目名】００８４
【補正方法】削除
【補正の内容】
【手続補正３０】
【補正対象書類名】明細書
【補正対象項目名】００８５
【補正方法】削除
【補正の内容】
【手続補正３１】
【補正対象書類名】明細書
【補正対象項目名】００８６
【補正方法】削除
【補正の内容】
【手続補正３２】
【補正対象書類名】明細書
【補正対象項目名】００８７
【補正方法】削除
【補正の内容】
【手続補正３３】
【補正対象書類名】明細書
【補正対象項目名】００８８
【補正方法】削除
【補正の内容】
【手続補正３４】
【補正対象書類名】明細書
【補正対象項目名】００８９
【補正方法】削除
【補正の内容】